(57)【要約】      （修正有）【課題】導電端子と端子孔間の係合力の増大が可能で、プラスチックコア本体も前記係合力によって過大な応力を生じることがない電気コネクタを提供する。【解決手段】電気コネクタは、プラスチックコア本体と複数個の導電端子を含む。プラスチックコア本体は複数個の端子孔を有し、端子孔がプラスチックコア本体の前後両側を貫通する。複数個の導電端子はプラスチックコア本体の端子孔内に挿設され、且つ各々少なくとも三つの水平に突出した凸部を有し、凸部は端子孔の表面に当接する。導電端子と端子孔間の係合力は多めの凸部によって提供され、各凸部が単独で提供する係合力は過大とはならないが、全体の係合力は逆に大幅に増大し、また端子孔の係合力から生じる応力は小さめである。【選択図】図２
0003145515.tif 000002
【実用新案登録請求の範囲】
【請求項１】
電気コネクタであって、
複数個の端子孔を有し、前記端子孔が前記プラスチックコア本体の前後両側を貫通するプラスチックコア本体と、
前記プラスチックコア本体の端子孔内に挿設される複数個の導電端子と、を備え前記導電端子は各々少なくとも三つの水平に突出した凸部を有し、前記凸部は前記端子孔の表面に当接することを特徴とする電気コネクタ。
【請求項２】
前記導電端子先端に近い凸部の幅は前記導電端子後端に近い凸部の幅より狭いことを特徴とする請求項1に記載の電気コネクタ。
【請求項３】
前記導電端子は各々前記導電端子の頂面及び／又は底面に設けられた複数個の垂直に突出した凸点を有することを特徴とする請求項1に記載の電気コネクタ。
【請求項４】
前記凸点は前記凸部の頂面及び／又は底面に設けられることを特徴とする請求項３に記載の電気コネクタ。
【請求項５】
前記プラスチックコア本体後端に複数個の端子溝を有する後部係止台座を取り付け、前記導電端子後端が各々前記端子溝内に収納されることを特徴とする請求項1に記載の電気コネクタ。
【請求項６】
前記電気コネクタはさらに前記プラスチックコア本体の外側を覆う鉄製ケースを含むことを特徴とする請求項1に記載の電気コネクタ。
【請求項７】
前記鉄製ケースが上部鉄製ケース及び下部鉄製ケースを有し、前記上部鉄製ケースと下部鉄製ケースは互いに係止されることを特徴とする請求項６に記載の電気コネクタ。
【請求項８】
前記鉄製ケース両側は各々内側に向かって延伸するスライド防止板を具備し、前記プラスチックコア本体の後側面に当接することを特徴とする請求項６に記載の電気コネクタ。
【請求項９】
前記電気コネクタはディスプレイポートコネクタであることを特徴とする請求項1に記載の電気コネクタ。
【考案の詳細な説明】
【技術分野】
【０００１】
本考案は電気コネクタに関し、特に導電端子と端子孔との係止箇所が多い電気コネクタに関する。
【背景技術】
【０００２】
各種タイプの電子製品が普及するにつれて、電子製品間の接続部材である電気コネクタの需要量も増加の一途を辿っている。然しながら、電気コネクタの構造が差込や引抜の大きな力に耐えられるか、また幾度もの差込や引抜によってその構造が容易に損壊しないことが、業界で解決が求められている共通の課題である。
【０００３】
特許文献１の電気コネクタのような従来のプラグコネクタは、プラスチックコア本体と複数個の導電端子を含み、前記導電端子は前記プラスチックコア本体の端子孔内に挿設される。各導電端子には二つの水平に凸設した凸部を有し、前記凸部の幅はプラスチックコア本体の端子孔の幅より大きい。従って導電端子が端子孔内に挿設されると、凸部の両側は前記端子孔の表面に当接して押され、両者の間に係合力を生じて導電端子を端子孔内に固定させる。前記端子孔と凸部の間の係合力は前記凸部の幅が前記端子孔の幅に対する干渉量によって決まり、干渉量が大きいほど両者間の係合力は大きくなり、導電端子を一層安定的に端子孔内に固定させることができる。
【特許文献１】米国特許公告第６９９７７３３号
【０００４】
然しながら、前記従来のプラグコネクタは以下の欠点を有する。前記導電端子は二つしか凸部がなく、前記導電端子が端子孔に係合する力は前記二つの凸部のみが提供している。導電端子と端子孔間の係合力を高めようとすれば、各凸部と端子孔との干渉量を増加させなければならない。プラスチックコア本体の端子孔内側と凸部とが接触する箇所も前記係合力の作用のために応力を生じ、プラスチックコア本体の構造強度は通常低く、受容できる応力も相対的に低いので、前記凸部と端子孔の干渉量が過大になると、プラスチックコア本体は容易に破壊されてしまう。
【０００５】
従って、導電端子に二つしか凸部がない場合、前記導電端子とプラスチックコア本体の端子孔間に高めの係合力を持たせることは難しい。
【０００６】
そこで、本考案人は上記欠点が改善可能であると思慮し、よって合理的設計で且つ上記欠点を有効に改善する本考案を提案する。
【考案の開示】
【考案が解決しようとする課題】
【０００７】
本考案の主な目的は、導電端子とプラスチックコア本体の端子孔の係合箇所が多いことから、導電端子と端子孔間の係合力の増大が可能で、プラスチックコア本体も前記係合力によって過大な応力を生じることがない電気コネクタを提供することにある。
【課題を解決するための手段】
【０００８】
上記の目的を達するため、本考案による電気コネクタは、ラスチックコア本体と複数個の導電端子を含む。前記プラスチックコア本体は複数個の端子孔を有し、前記端子孔が前記プラスチックコア本体の前後両側を貫通する。前記複数個の導電端子は前記プラスチックコア本体の端子孔内に挿設され、且つ前記導電端子は各々少なくとも三つの水平に突出した凸部を有し、前記凸部は前記子孔の表面に当接する。
【考案の効果】
【０００９】
本考案は以下の有益な効果を有する。導電端子は三つ以上の凸部を有するため、導電端子と端子孔間の係合力は多めの凸部によって平均的に提供される。各凸部が単独で提供する係合力は過大とはならないが、全体の係合力は逆に大幅に増大し、また端子孔において前記係合力から生じる応力は小さめである。
【００１０】
本考案の特徴並びに技術内容を一層理解できるよう、以下の本考案に関連した詳細な説明と図面を参照することとするが、添付図面は参考並びに説明用に供するに過ぎず、これを以って本考案に制限を加えるものではない。
【考案を実施するための最良の形態】
【００１１】
図1、図２に示すのは本考案のコネクタで、プラスチックコア本体１０、複数個の導電端子２０、後部係止台座３０及び鉄製ケース４０からなる。前記電気コネクタは主にディスプレイポートに使用される。
【００１２】
前記プラスチックコア本体１０は絶縁材料で製造され、前記プラスチックコア本体１０には複数個の端子孔１１を具備し、前記端子孔１１は水平に配列されて前記プラスチックコア本体１０の前後両側を貫通する。
【００１３】
前記導電端子２０は高伝導係数の金属素材で製造されており、前記プラスチックコア本体１０の端子孔１１内部に順番に挿設され、前記導電端子２０の後側は前記プラスチックコア本体１０の後側外部に延伸している。
【００１４】
図３、図４に示すように、前記導電端子２０ごとには各々少なくとも三つの水平に突出した凸部２１と、複数個の垂直に突出した凸点２２を具備し、前記凸部２１は各々平均的に分散させて前記導電端子２０の両側に設置し、前記凸点２２は前記導電端子２０の頂面又は底面に設置してもよく、また同時に導電端子２０の頂面と底面に設置しともよい。本実施例では、前記凸点２２は導電端子２０の頂面に位置し、その数は六つであって、且つ各凸部２１の頂面には各々二つの凸点２２を配置する。
【００１５】
前記凸部２１の幅と凸点２２の高さが端子孔１１のこれらに対応するサイズより大きいことから、導電端子２０が端子孔１１内に挿設されると、前記凸部２１と凸点２２は端子孔１１との干渉フィットにより、前記凸部２１と凸点２２は前記端子孔１１の表面に当接して押され、両者間に係合力が生じて導電端子２０を端子孔1内に固定させる。
【００１６】
また、導電端子２０先端に近い凸部２１の幅は、前記導電端子２０後端に近い凸部２１の幅より狭めで、このような設計は組立てる者が容易に前記導電端子２０を端子孔１１に挿入させることができる。
【００１７】
前記導電端子２０には三つ以上の凸部２１と六つの凸点２２を具備しているため、導電端子２０と端子孔１１間の係合箇所は九つとなり、導電端子２０と端子孔１１間で各箇所全てに部分的な係合力を提供することができることから、全体の係合力は従来の設計よりもずっと増大している。さらに前記導電端子２０の頂面と両側には何れも係合力作用があるので、前記導電端子２０は端子孔１１内に安定的に固定され得る。
【００１８】
また、各凸部２１又は凸点２２が単独で提供する係合力は過大である必要はなく、プラスチックコア本体１０の端子孔１１では前記力から生じる応力も小さいため、プラスチックコア本体１０の構造が安全となる。
【００１９】
前記後部係止台座３０も絶縁材料で製造されて前記プラスチックコア本体１０の後端に係止される。前記後部係止台座３０は、舌部３１、複数個の貫通孔３２及び複数個の端子溝３３を具備する。前記舌部３１は前記後部係止台座３０後側より後方に延伸し、前記貫通孔３２は水平に配列して前記後部係止台座３０の前後両側を貫通し、前記通孔３２の水平な配列位置と前記プラスチックコア本体１０の端子孔１１の位置とが対応している。前記端子溝３３は前記舌部３１上に設置され、且つ前記貫通孔３２と連通している。
【００２０】
前記後部係止台座３０が前記プラスチックコア本体１０後端に係止されると、前記導電端子２０の後端は前記後部係止台座３０の貫通孔３２を通って前記舌部３１の端子溝３３内に伸長して収納される。
【００２１】
再び図1、図２に参照し、プラスチックコア本体１０、導電端子２０及び後部係止台座３０の組立て完了後、前記鉄製ケース４０で前記プラスチックコア本体１０、導電端子２０及び後部係止台座３０を覆う。前記鉄製ケース４０は上部鉄製ケース４１と下部鉄製ケース４２を有し、組立の際にまず前記上部鉄製ケース４１をプラスチックコア本体１０の先端からプラスチックコア本体１０に嵌め込み、下部鉄製ケース４２を上部鉄製ケース４１の下方から前記上部鉄製ケース４１の両側に嵌め込む。こうして前記プラスチックコア本体１０、導電端子２０及び後部係止台座３０を上部鉄製ケース４１と下部鉄製ケース４２の間に覆う。
【００２２】
更に、前記鉄製ケース４０両側に各々内側に延伸させたスライド防止板４３を具備し、スライド防止板４３は上部鉄製ケース４１又は下部鉄製ケース４２に取り付けることができ、本考案では前記スライド防止板４３を前記上部鉄製ケース４１に取り付ける。前記スライド防止板４３は前記プラスチックコア本体１０の後側面に当接させるが、その目的は前記プラスチックコア本体１０が前記鉄製ケース４０内でスライドして移動しないようにして、プラスチックコア本体１０を鉄製ケース４０内に安定的に固定させられることである。
【００２３】
本考案の効果の総括は次のとおりである。導電端子２０は端子孔１１と係合できる多くの凸部２１と凸点２２を具備しており、また導電端子２０の頂面と両側に平均的に作用しているので、導電端子２０は端子孔１１内に安定的に固定することができる。
各凸部２１と凸点２２がプラスチックコア本体１０の端子孔１１に対して生じる応力も過大とはならないので、プラスチックコア本体１０は容易には破壊されない。
【００２４】
以上の記述は本考案の好ましい実施例に過ぎず、本考案の保護範囲を限定するものではなく、従っておよそ本考案の明細書ならびに図面内容を運用して行った等価変更は何れも同様の道理で本考案の権利保護の範囲内に含まれる旨合わせて言明する。
【図面の簡単な説明】
【００２５】
【図１】本考案に係る電気コネクタの斜視図である。
【図２】本考案に係る電気コネクタの分解斜視図である。
【図３】本考案に係る電気コネクタの導電端子の概略斜視図である。
【図４】本考案に係る電気コネクタの導電端子の平面概略図である。
【符号の説明】
【００２６】
１０  プラスチックコア本体
１１  端子孔
２０  導電端子
２１  凸部
２２  凸点
３０  後部係止台座
３１  舌部
３２  貫通孔
３３  端子溝
４０  鉄製ケース
４１  上部鉄製ケース
４２  下部鉄製ケース
４３  スライド防止板
【図１】
0003145515.tif 000003
【図２】
0003145515.tif 000004
【図３】
0003145515.tif 000005
【図４】
0003145515.tif 000006